(57)【特許請求の範囲】
【請求項１】
液体が貯留される液体貯留室、及び鉛直方向と交差する第１方向における上記液体貯留室の一端を画定する立壁を有するタンクと、
上記タンクの外部で且つ上記立壁の外面に対面する対面領域から外れた位置に設けられており、液体を収容する液体収容部と、
上記液体貯留室に貯留された液体を消費する液体消費部と、を備えており、
上記立壁は、
上記液体貯留室内の液体が外部から視認可能な視認面が上記液体貯留室に面する位置に形成された基壁と、
上記基壁の上端において上記液体貯留室側に傾斜しており、上記液体貯留室に液体を注入するための注入口が形成された傾斜壁と、で構成されており、
上記立壁の外面には、上記基壁の上記視認面と異なる位置を通って、上記注入口と上記基壁との間の位置から上記液体収容部に至る液体流路が形成されている液体消費装置。
【請求項２】
上記液体貯留室は、上記基壁の内面に接する隔壁によって、鉛直方向及び上記第１方向に直交する第２方向に隣接する第１貯留室及び第２貯留室に区画されており、
上記液体流路は、上記隔壁に接する位置に対応する上記基壁の外面に形成されている請求項１に記載の液体消費装置。
【請求項３】
上記基壁に対する上記液体貯留室の反対側で且つ上記タンクの下方において上記第２方向に沿って延びる回動軸線周りに、該液体消費装置の外部から上記立壁を被覆する被覆位置と、該液体消費装置の外部に上記立壁を露出させる露出位置とに回動可能なカバーを備えており、
上記液体流路は、上記露出位置における上記カバーの上面で且つ上記回動軸線より上記液体貯留室に近い側に設けられた上記液体収容部に接続されている請求項２に記載の液体消費装置。
【請求項４】
上記カバーは、上記被覆位置において上記基壁の上記視認面の少なくとも一部を該液体消費装置の外部から視認可能にする透過部を有しており、
上記対面領域は、上記第１方向における上記基壁の上記視認面と上記透過部との間の領域である請求項３に記載の液体消費装置。
【請求項５】
上記タンクの下方において当該タンクを支持する支持面を備えており、
上記液体収容部は、上記支持面に設けられている請求項１から４のいずれかに記載の液体消費装置。
【請求項６】
上記タンクは、鉛直方向及び上記第１方向に直交する第２方向における上記立壁の端部に接し且つ上記立壁と交差する側壁を有しており、
上記液体収容部は、上記側壁の外面に設けられている請求項１に記載の液体消費装置。
【請求項７】
上記液体流路は、上記注入口より下方の上記傾斜壁の外面を、鉛直方向及び上記第１方向に直交する第２方向に沿って延びる溝を含む請求項１から６のいずれかに記載の液体消費装置。
【請求項８】
上記溝には、各々が当該溝に沿って延設され且つ上記立壁の外面に沿って上下方向に隣接する複数のリブが設けられている請求項７に記載の液体消費装置。
【請求項９】
上記液体貯留室は、上記立壁の内面に接する隔壁によって、鉛直方向及び上記第１方向に直交する第２方向に隣接する第１貯留室及び第２貯留室に区画されており、
上記液体流路は、
上記注入口より下方の上記傾斜壁の外面を上記第２方向に沿って延びる第１流路と、
上記第１流路に接続されており、上記隔壁に接する位置に対応する上記基壁の外面を上下方向に沿って延びる第２流路とを含む請求項１から８のいずれかに記載の液体消費装置。
【請求項１０】
上記液体収容部には、液体を吸収する液体吸収部材が充填されている請求項１から９のいずれかに記載の液体消費装置。
【請求項１１】
上記液体流路は、上記立壁の外面に設けられた凹溝である請求項１から１０のいずれかに記載の液体消費装置。
【請求項１２】
上記液体流路は、上記立壁の外面に立設された一対のリブの間に形成された溝である請求項１から１０のいずれかに記載の液体消費装置。
【請求項１３】
液体が貯留される液体貯留室、及び鉛直方向と交差する第１方向における上記液体貯留室の一端を画定する立壁を有するタンクと、
上記タンクの外部で且つ上記立壁の外面に対面する対面領域から外れた位置に設けられており、液体を収容する液体収容部と、
上記液体貯留室に貯留された液体を消費する液体消費部と、を備えており、
上記立壁には、
上記液体貯留室に液体を注入するための注入口と、
上記注入口の下方において、上記液体貯留室内の液体を外部から視認させる視認面と、
当該立壁の外面において、上記視認面と異なる位置を通って、上記注入口と上記視認面との間の位置から上記液体収容部に至る液体流路と、が形成されている液体消費装置。
【発明の詳細な説明】
【技術分野】
【０００１】
本発明は、注入口を通じて液体を補充可能なタンクを有する液体消費装置に関する。
【背景技術】
【０００２】
従来より、注入口を通じて液体を補充可能なタンクが知られている。また、例えば特許文献１には、インク室内のインクを視認可能な視認面と、インク室内のインクの量を示す目盛りとが注入口の下方に形成されたインクタンクが開示されている。上記構成のインクタンクにおいて、ユーザは、視認面を通じて視認されるインクの液面が最大目盛りの位置に到達するまで、注入口を通じてインク室にインクを注入すればよい。
【先行技術文献】
【特許文献】
【０００３】
【特許文献１】特開２０１４−３７０５８号公報
【発明の概要】
【発明が解決しようとする課題】
【０００４】
しかしながら、インク注入時に注入口からこぼれたインクが視認面或いは目盛りに付着すると、視認面或いは目盛りの視認性が低下するという課題がある。特に、特許文献１に記載のインクタンクには、注入口からこぼれたインクを堰き止める堰き止め部が設けられているので、当該堰き止め部から溢れたインクは、視認面或いは目盛りが設けられた領域を広範囲に汚染する可能性がある。
【０００５】
本発明は、上記の事情に鑑みてなされたものであり、その目的は、注入口から液体を注入可能なタンク内部の視認性の低下を抑制した液体消費装置を提供することにある。
【課題を解決するための手段】
【０００６】
本発明の一形態に係る液体消費装置は、液体が貯留される液体貯留室、及び鉛直方向と交差する第１方向における上記液体貯留室の一端を画定する立壁を有するタンクと、上記タンクの外部で且つ上記立壁の外面に対面する対面領域から外れた位置に設けられており、液体を収容する液体収容部と、上記液体貯留室に貯留された液体を消費する液体消費部とを備える。上記立壁は、上記液体貯留室内の液体が外部から視認可能な視認面が上記液体貯留室に面する位置に形成された基壁と、上記基壁の上端において上記液体貯留室側に傾斜しており、上記液体貯留室に液体を注入するための注入口が形成された傾斜壁とで構成されている。そして、上記立壁の外面には、上記基壁の上記視認面と異なる位置を通って、上記注入口と上記基壁との間の位置から上記液体収容部に至る液体流路が形成されている。
【０００７】
上記構成によれば、液体をタンクに注入する際に注入口からこぼれた液体を、液体流路を通じて液体収容部に排出することができる。その結果、当該液体によって基壁の外面が汚染されることによるタンク内部の視認性の低下を抑制することができる。
【０００８】
本発明の他の形態に係る液体消費装置は、液体が貯留される液体貯留室、及び鉛直方向と交差する第１方向における上記液体貯留室の一端を画定する立壁を有するタンクと、上記タンクの外部で且つ上記立壁の外面に対面する対面領域から外れた位置に設けられており、液体を収容する液体収容部と、上記液体貯留室に貯留された液体を消費する液体消費部とを備える。そして、上記立壁には、上記液体貯留室に液体を注入するための注入口と、上記注入口の下方において、上記液体貯留室内の液体を外部から視認可能にする視認面と、当該立壁の外面において、上記視認面と異なる位置を通って、上記注入口と上記視認面との間の位置から上記液体収容部に至る液体流路とが形成されている。
【発明の効果】
【０００９】
本発明によれば、液体をタンクに注入する際に注入口からこぼれた液体を、液体流路を通じて液体収容部に排出することができるので、当該液体によって基壁の外面が汚染されることによるタンク内部の視認性の低下を抑制することができる。
【図面の簡単な説明】
【００１０】
【図１】図１は、複合機１０の外観斜視図であって、（Ａ）はカバー７０が閉じた状態、（Ｂ）はカバー７０が開いた状態を示す。
【図２】図２は、プリンタ部１１の内部構造を模式的に示す縦断面図である。
【図３】図３は、キャリッジ２３及びインクタンク１００の配置を示す平面図である。
【図４】図４は、インクタンク１００の前方斜視図である。
【図５】図５は、インクタンク１００の後方斜視図である。
【図６】図６は、図４のＶＩ−ＶＩにおける断面図である。
【図７】図７は、図４のＶＩＩ−ＶＩＩにおける断面斜視図である。
【図８】図８は、インクタンク１００の右側面図である。
【図９】図９は、（Ａ）が図８のＩＸ（Ａ）−ＩＸ（Ａ）における断面図、（Ｂ）が図８のＩＸ（Ｂ）−ＩＸ（Ｂ）における断面図である。
【図１０】図１０は、被覆位置のカバー７０及びインクタンク１００の縦断面図である。
【図１１】図１１は、露出位置のカバー７０及びインクタンク１００の縦断面図である。
【図１２】図１２は、変形例１に係るインクタンク１００Ａの前方斜視図である。
【図１３】図１３は、変形例２に係るインクタンク１００Ｂの前方斜視図である。
【発明を実施するための形態】
【００１１】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。すなわち、向きは方向の一成分である。上向き及び下向きは、各々が上下方向７の一成分であって、互いに逆向きである。左向き及び右向きは、各々が左右方向９の一成分であって、互いに逆向きである。前向き及び後ろ向きは、各々が前後方向８の一成分であって、互いに逆向きである。また、本実施形態では、上下方向７が鉛直方向に相当し、前後方向８及び左右方向９が水平方向に相当する。
【００１２】
さらに、複合機１０が使用可能に設置された状態（図１の状態であって、「使用状態」と表記することがある。）若しくは姿勢（図１の姿勢であって、「使用姿勢」と表記することがある。）を基準として上下方向７が定義され、複合機１０の開口１３が設けられている側を手前側（前面）として前後方向８が定義され、複合機１０を手前側（前面）から見て左右方向９が定義される。前後方向８は第１方向の一例であり、左右方向９は第２方向の一例である。
【００１３】
［複合機１０の全体構成］
複合機１０は、図１に示されるように、概ね直方体に形成されている。複合機１０は、ケーシングの下部にインクジェット記録方式で用紙１２（図２参照）に画像を記録するプリンタ部１１を有している。プリンタ部１１は、図２に示されるように、給送部１５と、給送トレイ２０と、排出トレイ２１と、搬送ローラ部５４と、記録部２４と、排出ローラ部５５と、プラテン４２と、インクタンク１００（タンクの一例）とを備えている。また、複合機１０は、ファクシミリ機能及びプリント機能などの各種の機能を有している。複合機１０は、液体吐出装置或いは液体消費装置の一例である。
【００１４】
［給送トレイ２０、排出トレイ２１］
給送トレイ２０は、図１に示されるように、複合機１０の前面で且つ左右方向９の中央部に形成された開口１３を通じて前後方向８にユーザによって複合機１０に対して挿抜される。給送トレイ２０は、積層された複数の用紙１２を支持可能である。排出トレイ２１は、給送トレイ２０の上方に配置されており、給送トレイ２０と共に挿抜される。排出トレイ２１は、排出ローラ部５５によって記録部２４とプラテン４２との間から排出された用紙１２を支持する。
【００１５】
［給送部１５］
給送部１５は、給送トレイ２０に支持された用紙１２を搬送経路６５へ給送する。給送部１５は、図２に示されるように、給送ローラ２５と、給送アーム２６と、軸２７とを備えている。給送ローラ２５は、給送アーム２６の先端側に回転可能に支持されている。給送ローラ２５は、搬送モータ（不図示）の逆転によって、用紙１２を搬送向き１６に搬送する向きに回転する。以下、給送ローラ２５、搬送ローラ６０、及び排出ローラ６２が、用紙１２を搬送向き１６に搬送する向きに回転することを、「正回転」と表記する。給送アーム２６は、プリンタ部１１のフレームに支持された軸２７に回動可能に支持されている。給送アーム２６は、自重或いはバネ等による弾性力によって給送トレイ２０側へ回動付勢されている。
【００１６】
［搬送経路６５］
搬送経路６５は、図２に示されるように、その一部がプリンタ部１１の内部において、所定間隔で対向する外側ガイド部材１８及び内側ガイド部材１９によって形成される空間を指す。搬送経路６５は、給送トレイ２０の後端部からプリンタ部１１の後方側に延びる経路である。また、搬送経路６５は、プリンタ部１１の後方側において下方から上方に延びつつＵターンし、記録部２４とプラテン４２との間の空間を経て排出トレイ２１に至る経路である。搬送ローラ部５４及び排出ローラ部５５の間における搬送経路６５は、図２及び図３に示されるように、左右方向９における複合機１０の概ね中央部に設けられており、且つ前後方向８に延びている。なお、搬送経路６５内における用紙１２の搬送向き１６は、図２において一点鎖線の矢印で示されている。
【００１７】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１を有する。搬送ローラ６０は、搬送モータによって駆動される。ピンチローラ６１は、搬送ローラ６０の回転に伴って連れ回る。用紙１２は、搬送モータの正転によって正回転する搬送ローラ６０及びピンチローラ６１に挟持されて搬送向き１６に搬送される。
【００１８】
［排出ローラ部５５］
排出ローラ部５５は、図２に示されるように、記録部２４より搬送向き１６の下流側に配置されている。排出ローラ部５５は、互いに対向する排出ローラ６２及び拍車６３を有する。排出ローラ６２は、搬送モータによって駆動される。拍車６３は、排出ローラ６２の回転に伴って連れ回る。用紙１２は、搬送モータの正転によって正回転する排出ローラ６２及び拍車６３に挟持されて搬送向き１６に搬送される。
【００１９】
［記録部２４］
記録部２４は、図２に示されるように、搬送向き１６における搬送ローラ部５４及び排出ローラ部５５の間に配置されている。また、記録部２４は、搬送経路６５を挟んでプラテン４２と上下方向７に対向配置されている。すなわち、記録部２４は、搬送経路６５より上下方向７の上方で、且つ搬送経路６５に対面する位置に配置されている。記録部２４は、キャリッジ２３と、記録ヘッド３９（ヘッド或いは液体消費部の一例）とを備えている。
【００２０】
キャリッジ２３は、図３に示されるように、前後方向８に離間する位置において各々が左右方向９に延設されたガイドレール４３、４４に支持されている。ガイドレール４３、４４は、プリンタ部１１のフレームに支持されている。キャリッジ２３は、ガイドレール４４に設けられた公知のベルト機構に連結されている。このベルト機構は、キャリッジモータ（不図示）によって駆動される。すなわち、ベルト機構に連結されたキャリッジ２３は、キャリッジモータの駆動によって左右方向９に往復移動する。キャリッジ２３の移動範囲は、図３の一点鎖線で示されるように、搬送経路６５より左右方向９の右方及び左方にまで及ぶ。
【００２１】
また、キャリッジ２３からは、インクタンク１００及び記録ヘッド３９を接続するインクチューブ３２と、制御部（不図示）が実装された制御基板及び記録ヘッド３９を電気的に接続するフレキシブルフラットケーブル３３とが延出されている。インクチューブ３２は、インクタンク１００に貯留されたインクを記録ヘッド３９に供給する。より詳細には、各色（ブラック、マゼンタ、シアン、イエロー）のインクが流通する４本のインクチューブ３２Ｂ、３２Ｍ、３２Ｃ、３２Ｙ（これらを総称して、「インクチューブ３２」と表記することがある。）がインクタンク１００から延出され、これらが束ねられた状態でキャリッジ２３に接続されている。フレキシブルフラットケーブル３３は、制御部から出力される制御信号を記録ヘッド３９に伝達する。
【００２２】
記録ヘッド３９は、図２に示されるように、キャリッジ２３に搭載されている。記録ヘッド３９の下面には、複数のノズル４０が形成されている。複数のノズル４０の先端は、記録ヘッド３９及び記録ヘッド３９を搭載するキャリッジ２３の下面から露出されている。以下、ノズル４０の先端が露出された面を「ノズル面」と表記することがある。記録ヘッド３９は、ノズル４０からインクを微小なインク滴として吐出する。キャリッジ２３が移動する過程において、プラテン４２に支持されている用紙１２に向けて記録ヘッド３９がインク滴を吐出する。これにより、用紙１２に画像が記録される。
【００２３】
［プラテン４２］
プラテン４２は、図２及び図３に示されるように、搬送向き１６における搬送ローラ部５４及び排出ローラ部５５の間に配置されている。プラテン４２は、上下方向７において記録部２４に対向するようにして配置されており、搬送ローラ部５４によって搬送される用紙１２を下側から支持する。
【００２４】
［インクタンク１００］
インクタンク１００は、図１に示されるように、複合機１０の内部に収容されている。インクタンク１００は、複合機１０から容易に取り外すことができないように、当該複合機１０に固定されている。より詳細には、インクタンク１００は、複合機１０のケーシングの前面で且つ左右方向９の右端に形成された開口２２を通じて、複合機１０の内部に収容されている。開口２２は、左右方向９において、開口１３と隣接している。但し、インクタンク１００の前面（後述する基壁１０１Ａ及び傾斜壁１０１Ｂの一部）は、前後方向８における開口２２より前方（より詳細には、開口２２を画定するケーシングの前壁より前方）に位置する。複合機１０のケーシングは、開口２２の内部で且つインクタンク１００の下方に位置する支持面２８（図１０参照）を有する。インクタンク１００は、支持面２８に支持されている。
【００２５】
また、複合機１０には、開口２２よりも前方に位置するインクタンク１００の前面を覆うことができる箱形状のカバー７０が設けられている。カバー７０は、開口２２及びインクタンク１００の前壁１０１を覆う被覆位置（図１（Ａ）参照）と、開口２２及びインクタンク１００の前壁１０１を複合機１０の外部に露出させる露出位置（図１（Ｂ）参照）との間を回動可能に、複合機１０のケーシングによって支持されている。カバー７０は、図１０及び図１１に示されるように、上下方向７の下端側において左右方向９に延びる回動軸７１周りに回動可能に、複合機１０のケーシングによって支持されている。本実施形態における回動軸７１は、前後方向８における前壁１０１より前方（すなわち、前壁１０１に対するインク室１１１の反対側）で、且つ上下方向７におけるインクタンク１００より下方に位置している。
【００２６】
但し、複合機１０に設けられるカバー７０は、被覆位置と露出位置との間を回動する形態に限定されない。例えば、前後方向８に離間した被覆位置と露出位置との間を平行移動するものであってもよいし、複合機１０のケーシングに対して着脱可能に設けられていてもよい。
【００２７】
インクタンク１００は、図４及び図５に示されるように、概ね直方体の外形を呈する。インクタンク１００は、前壁１０１（立壁の一例）と、右壁１０２（側壁の一例）と、左壁１０３と、上壁１０４と、下壁１０５とを有する。一方、インクタンク１００の後面は開放されている。そして、右壁１０２、左壁１０３、上壁１０４、下壁１０５の後端面にフィルム１０６が溶着されることによって、インクタンク１００の後面が封止される。すなわち、フィルム１０６は、インクタンク１００の後壁を構成する。上記構成のインクタンク１００は、例えば、樹脂材料を射出成型することによって一体成型される。例えば、後述するインクタンク１００の内部形状は、インクタンク１００の開放された後面から後ろ向きに引き抜かれる金型（不図示）によって規定される。
【００２８】
上壁１０４は、上下方向７におけるインク室１１１の上端を画定する。下壁１０５は、上下方向７におけるインク室１１１の下端を画定する。前壁１０１、右壁１０２、及び左壁１０３は、上壁１０４及び下壁１０５の間において、上壁１０４及び下壁１０５と交差する向きに立設されている。また、各壁１０１〜１０５は、インク室１１１内のインクがインクタンク１００の外部から視認可能な程度の透光性を少なくとも有している。前壁１０１は、下壁１０５から概ね上下方向７に延びる基壁１０１Ａと、基壁１０１Ａの上端において基壁１０１Ａと連続し且つ上下方向７及び前後方向８に対して傾斜された傾斜壁１０１Ｂとで構成されている。傾斜壁１０１Ｂは、基壁１０１Ａに対して後方側（すなわち、インク室１１１側）に傾斜している。
【００２９】
［インク室１１１］
インクタンク１００の内部には、図５に示されるように、内部空間を区画する複数の隔壁１０７、１０８、１０９が設けられている。隔壁１０７、１０８、１０９は、各々が上下方向７及び前後方向８に延設されており、前壁１０１、上壁１０４、下壁１０５、及びフィルム１０６に接続されている。また、隔壁１０７〜１０９は、左右方向９に離間して設けられている。その結果、インクタンク１００の内部空間は、左右方向９に隣接する４つのインク室１１１Ｂ、１１１Ｍ、１１１Ｃ、１１１Ｙに区画される。インク室１１１は、ノズル４０から吐出されるインクを貯留する液体貯留室の一例である。
【００３０】
インク室１１１Ｂは、前壁１０１、右壁１０２、上壁１０４、下壁１０５、フィルム１０６、及び隔壁１０７によって画定される空間である。インク室１１１Ｍは、前壁１０１、上壁１０４、下壁１０５、フィルム１０６、及び隔壁１０７、１０８によって画定される空間である。インク室１１１Ｃは、前壁１０１、上壁１０４、下壁１０５、フィルム１０６、及び隔壁１０８、１０９によって画定される空間である。インク室１１１Ｙは、前壁１０１、左壁１０３、上壁１０４、下壁１０５、フィルム１０６、及び隔壁１０９によって画定される空間である。
【００３１】
以下、インク室１１１Ｂ、１１１Ｍ、１１１Ｃ、１１１Ｙを総称して、「インク室１１１」と表記することがある。また、各インク室１１１に対応して４つ設けられた構成要素には、末尾のアルファベット（Ｂ、Ｍ、Ｃ、Ｙ）のみが異なる参照番号を付し、これらを総称する場合に当該アルファベットを省略して表記することがある。
【００３２】
各インク室１１１には、異なる色のインクが貯留される。具体的には、インク室１１１Ｂにはブラックインクが貯留され、インク室１１１Ｃにはシアンインクが貯留され、インク室１１１Ｍにはマゼンタインクが貯留され、インク室１１１Ｙにはイエローインクが貯留される。各色インクは、液体の一例である。但し、インク室１１１の数及びインクの色は上記の例に限定されない。インク室１１１は、左右方向９に沿って配置されている。また、４つのインク室１１１Ｂ、１１１Ｍ、１１１Ｃ、１１１Ｙの中で、インク室１１１Ｂが最も右側に配置され、インク室１１１Ｙが最も左側に配置されている。さらに、インク室１１１Ｂは、他のインク室１１１Ｍ、１１１Ｃ、１１１Ｙより容積が大きい。
【００３３】
［注入口１１２］
インクタンク１００の傾斜壁１０１Ｂには、各インク室１１１にインクを注入するための注入口１１２Ｂ、１１２Ｍ、１１２Ｃ、１１２Ｙが設けられている。注入口１１２は、傾斜壁１０１Ｂを厚み方向に貫通して、対応するインク室１１１をインクタンク１００の外部に連通させる。傾斜壁１０１Ｂは、その内面がインク室１１１に面し、外面がインクタンク１００の外部に面している。傾斜壁１０１Ｂは、外面が内面より上方に位置するように傾斜している。したがって、注入口１１２は、インク室１１１とインクタンク１００の外部とを直接連通させる。すなわち、注入口１１２とインク室１１１との間には、注入口よりも断面積が小さく、且つ屈曲しているような流路は存在しない。また、注入口１１２は、傾斜壁１０１Ｂに代えて上壁１０４に設けられていてもよい。すなわち、上壁１０４と前壁１０１とが接続されたインクタンク１００において、上壁１０４に注入口１１２が設けられていてもよい。
【００３４】
傾斜壁１０１Ｂ及び傾斜壁１０１Ｂに設けられた注入口１１２は、図１（Ｂ）に示されるように、カバー７０を露出位置に位置させることによって複合機１０の外部に露出される。また、注入口１１２は、開口２２より前方において傾斜壁１０１Ｂに設けられている。本実施形態において、注入口１１２を通じてインク室１１１にインクが注入される際のインクタンク１００の姿勢（注入姿勢）は、複合機１０が使用姿勢にあるときのインクタンク１００の姿勢と一致する。すなわち、複合機１０が使用姿勢にあるときに、注入口１１２を通じてインク室１１１にインクが注入される。本実施形態における注入口１１２は円形状であるが、注入口１１２の形状はこれに限定されず、楕円形状、多角形状等であってもよい。
【００３５】
インクタンク１００は、注入口１１２に対して着脱可能なキャップ１１３Ｂ、１１３Ｍ、１１３Ｃ、１１３Ｙを有する。図１（Ａ）に示されるように、注入口１１２に取り付けられたキャップ１１３は、注入口１１２の周縁に密着して注入口１１２を閉塞させる。一方、図１（Ｂ）に示されるように、注入口１１２から取り外されたキャップ１１３は、注入口１１２を開放する。キャップ１１３は、カバー７０を露出位置に位置させた状態で、注入口１１２に対して着脱される。また、キャップ１１３を注入口１１２から取り外すことによって、インク室１１１にインクが注入可能となる。
【００３６】
［インク流出路１１４］
各インク室１１１には、図６〜図９に示されるように、インク流出路１１４Ｂ、１１４Ｍ、１１４Ｃ、１１４Ｙ（液体流出路の一例）が接続されている。インク流出路１１４は、対応するインク室１１１に貯留されたインクをインクタンク１００の外部に流出させる流路である。本実施形態におけるインク流出路１１４は、対応するインク室１１１からインクタンク１００の右側面（すなわち、右壁１０２の外面）に至る流路である。
【００３７】
インク流出路１１４Ｙは、図７に示されるように、インク室１１１Ｙの右面を画定する隔壁１０９の下端付近に設けられた開口１１５Ｙを通じてインク室１１１Ｙに連通されている。開口１１５Ｙは、下段壁１４６Ｙと接続壁１４７Ｙとで囲まれた位置（より詳細には、上段壁１４５Ｙより下方で、且つ前後方向８における接続壁１４７Ｙ、１４７Ｃの間）において、隔壁１０９に形成されている。また、インク流出路１１４Ｙは、図８に示されるように、右壁１０２に設けられた開口１１６Ｙを通じてインクタンク１００の右側面に至る。より詳細には、インク流出路１１４Ｙは、図９（Ａ）に示されるように、インク室１１１Ｂ、１１１Ｍ、１１１Ｃの前方側において開口１１５Ｙから左右方向９に沿って右方に延設され、右壁１０２を貫通して開口１１６Ｙ（すなわち、インクタンク１００の右側面）に至る。
【００３８】
インク流出路１１４Ｃは、図７に示されるように、インク室１１１Ｃの右面を画定する隔壁１０８の下端付近に設けられた開口１１５Ｃを通じてインク室１１１Ｃに連通されている。開口１１５Ｃは、下段壁１４６Ｃと接続壁１４７Ｃとで囲まれた位置（より詳細には、上段壁１４５Ｃより下方で、且つ前後方向８における接続壁１４７Ｃ、１４７Ｍの間）において、隔壁１０８に形成されている。また、インク流出路１１４Ｃは、図８に示されるように、右壁１０２に設けられた開口１１６Ｃを通じてインクタンク１００の右側面に至る。より詳細には、インク流出路１１４Ｃは、図９（Ａ）に示されるように、インク室１１１Ｂ、１１１Ｍの前方側において開口１１５Ｃから左右方向９に沿って右方に延設され、右壁１０２を貫通して開口１１６Ｃに至る。
【００３９】
インク流出路１１４Ｍは、図７に示されるように、インク室１１１Ｍの右面を画定する隔壁１０７の下端付近に設けられた開口１１５Ｍを通じてインク室１１１Ｍに連通されている。開口１１５Ｍは、下段壁１４６Ｍと接続壁１４７Ｍとで囲まれた位置（より詳細には、上段壁１４５Ｍより下方で、且つ前後方向８における接続壁１４７Ｍ、１４７Ｂの間）において、隔壁１０７に形成されている。また、インク流出路１１４Ｍは、図８に示されるように、右壁１０２に設けられた開口１１６Ｍを通じてインクタンク１００の右側面に至る。より詳細には、インク流出路１１４Ｍは、図９（Ａ）に示されるように、インク室１１１Ｂの前方側において開口１１５Ｍから左右方向９に沿って右方に延設され、右壁１０２を貫通して開口１１６Ｍに至る。
【００４０】
インク流出路１１４Ｂは、図７に示されるように、インク室１１１Ｂの右面及び底面を画定する右壁１０２及び下壁１０５の境界付近に設けられた開口１１５Ｂを通じてインク室１１１Ｂに連通されている。開口１１５Ｂは、下段壁１４６Ｂと接続壁１４７Ｂとで囲まれた位置（すなわち、上段壁１４５Ｂより下方で且つ接続壁１４７Ｂより後方）において、接続壁１４７Ｂに形成されている。開口１１５Ｂの上方には、開口１１５Ｂへのインクの流入向き（すなわち、上下方向７の下向き）に交差する隔壁１１０が設けられている。また、インク流出路１１４Ｂは、図８に示されるように、右壁１０２に設けられた開口１１６Ｂを通じてインクタンク１００の右側面に至る。
【００４１】
インク流出路１１４Ｂは、図６に示されるように、開口１１５Ｍから前後方向８に沿って前方に延設され、インク流出路１１４Ｍ、１１４Ｃ、１１４Ｙより前方で右壁１０２を貫通して開口１１６Ｂに至る。また、前後方向８に延びるインク流出路１１４Ｂは、左右方向９に延びるインク流出路１１４Ｍ、１１４Ｃ、１１４Ｙと交差している。より詳細には、インク流出路１１４Ｂは、左右方向９に延びるインク流出路１１４Ｍ、１１４Ｃ、１１４Ｙの下方を前方に向かって延びている。
【００４２】
なお、図７に示されるように、左側に位置する接続壁１４７ほど前方に配置されている。すなわち、接続壁１４７Ｙは、接続壁１４７Ｂ、１４７Ｍ、１４７Ｃより前方に位置する。接続壁１４７Ｃは、接続壁１４７Ｂ、１４７Ｍより前方に位置する。接続壁１４７Ｍは、接続壁１４７Ｂより前方に位置する。そして、インク流出路１１５Ｙは、上段壁１４５Ｂ、１４５Ｍ、１４５Ｃと接続壁１４７Ｂ、１４７Ｍ、１４７Ｃとで囲まれた空間（すなわち、上段壁１４５Ｂ、１４５Ｍ、１４５Ｃより下方、接続壁１４７Ｂ、１４７Ｍ、１４７Ｃより前方、且つ接続壁１４７Ｙより後方）に設けられている。インク流出路１１５Ｃは、上段壁１４５Ｂ、１４５Ｍと接続壁１４７Ｂ、１４７Ｍとで囲まれた空間（すなわち、上段壁１４５Ｂ、１４５Ｍより下方、接続壁１４７Ｂ、１４７Ｍより前方、且つ接続壁１４７Ｃより前方）に設けられている。インク流出路１１５Ｍは、上段壁１４５Ｂと接続壁１４７Ｂとで囲まれた空間（すなわち、上段壁１４５Ｂより下方、接続壁１４７Ｂより前方、且つ接続壁１４７Ｍより前方）に設けられている。
【００４３】
［インク導出路１１７］
インクタンク１００の右側面には、図８に示されるように、インク導出路１１７Ｂ、１１７Ｍ、１１７Ｃ、１１７Ｙが設けられている。インク導出路１１７Ｂ、１１７Ｍ、１１７Ｃ、１１７Ｙは、一端が開口１１６Ｂ、１１６Ｍ、１１６Ｃ、１１６Ｙの位置で対応するインク流出路１１４Ｂ、１１４Ｍ、１１４Ｃ、１１４Ｙに接続され、他端が連結部１１８Ｂ、１１８Ｍ、１１８Ｃ、１１８Ｙに接続されている。インクタンク１００の上壁１０４に突設された連結部１１８には、各色のインクに対応した４本のインクチューブ３２Ｂ、３２Ｍ、３２Ｃ、３２Ｙ（図３参照）が連結される。すなわち、インク導出路１１７は、対応するインク流出路１１４を通じてインク室１１１から流出されたインクを、対応する連結部１１８に連結されたインクチューブ３２を通じて記録ヘッド３９に導く流路である。なお、各インク導出路１１７及び各インクチューブ３２の容積は、概ね同一である。
【００４４】
インクタンク１００の右壁１０２には、図８に示されるように、複数の突壁１２１Ａ〜１２１Ｉ（これらを総称して、「突壁１２１」と表記することがある。）が設けられている。突壁１２１は、右壁１０２の外面（右側面）から右方に突出し、且つ右壁１０２の外面に沿って延設されている。また、各突壁１２１の右側先端には、フィルム１２２が溶着されている。本実施形態における突壁１２１Ａ〜１２１Ｉには、単一（共通）のフィルム１２２が溶着されている。インク導出路１１７は、隣接する突壁１２１Ａ〜１２１Ｈとフィルム１２２とで区画される空間を指す。
【００４５】
インク導出路１１７Ｂを区画する突壁１２１Ａ、１２１Ｂは、開口１１６Ｂを挟む位置から後方に延び、さらに上方に延びてインクタンク１００の上端部に至る。インク導出路１１７Ｙを区画する突壁１２１Ｃ、１２１Ｄ、インク導出路１１７Ｃを区画する突壁１２１Ｅ、１２１Ｆ、及びインク導出路１１７Ｍを区画する突壁１２１Ｇ、１２１Ｈは、対応する開口１１６Ｙ、１１６Ｃ、１１６Ｍを挟む位置から下方に延び、さらに開口１１６Ｙ、１１６Ｃ、１１６Ｍの後方側を上方に延びてインクタンク１００の上端部に至る。すなわち、インク導出路１１７Ｙ、１１７Ｃ、１１７Ｍは、開口１１６Ｙ、１１６Ｃ、１１６Ｍの下部（「上下方向７の中央より下方」を指す。）において対応するインク流出路１１４Ｙ、１１４Ｃ、１１４Ｍに接続されている。さらに、各インク導出路１１７は、インクタンク１００の内部において上下方向７及び左右方向９に延びる空間（図示省略）を通じて対応する連結部１１８に接続される。
【００４６】
［大気連通路１２６］
各インク室１１１には、図５に示されるように、大気連通路１２６Ｂ、１２６Ｍ、１２６Ｃ、１２６Ｙが接続されている。大気連通路１２６は、対応するインク室１１１を大気に連通させる。より詳細には、大気連通路１２６は、切欠き１２７を通じて対応するインク室１１１に連通され、開口１３２を通じてインクタンク１００の外部に連通されている。大気連通路１２６は、インクタンク１００の内部空間（不図示）を通って、切欠き１２７から開口１３２に至る通路である。大気連通路１２６は、インク室１１１とインクタンク１００の外部との間で空気を流出入させる。
【００４７】
［透過窓７２］
カバー７０には、図１（Ａ）に示されるように、透過窓７２（透過部の一例）が設けられている。透過窓７２は、カバー７０を被覆位置に位置させた状態において、インクタンク１００の前壁１０１を複合機１０の外部から視認可能にする透過部である。以下、前後方向８において対面する前壁１０１と透過窓７２との間の領域は、「対面領域」と表記されることがある。一方、カバー７０のうちの透過窓７２と異なる領域は、カバー７０を被覆位置に位置させた状態において、インクタンク１００の前壁１０１を複合機１０の外部から視認不能にする非透過部である。なお、カバー７０は、透過窓のないものであってもよい。透過窓がないカバー７０の「対面領域」とは、例えば、少なくとも前壁１０１の表面より前方の空間を含んだ空間である。より詳細には、対面領域は、前後方向８において対面する前壁１０１とカバー７０との間の領域とも定義できる。
【００４８】
透過窓７２は、図１０及び図１１に示されるように、カバー７０を厚み方向に貫通する開口７３と、当該開口７３を閉塞するフィルム７４とで構成されている。フィルム７４は、光透過性の材料で形成されている。本実施形態におけるフィルム７４は、カバー７０の外面（すなわち、前壁１０１と対面するカバー７０の内面と反対側の面）側において、開口７３の周縁に貼付されている。その結果、前壁１０１とフィルム７４とは、前後方向８において互いに離間している。但し、透過窓７２の具体的な構成はこれに限定されない。
【００４９】
［インク収容部７５］
また、カバー７０の内面（すなわち、露出位置におけるカバー７０の上面）には、図１０及び図１１に示されるように、インク収容部７５（液体収容部の一例）が設けられている。インク収容部７５は、カバー７０の非透過部に設けられている。換言すれば、インク収容部７５は、カバー７０が被覆位置に位置する状態において、対面領域の下方に外れた位置に設けられている。また、インク収容部７５は、図１１に示されるように、露出位置におけるカバー７０の回動軸７１より後方側（すなわち、インク室１１１に近い側）に設けられている。さらに、インク収容部７５は、カバー７０を露出位置に位置させた状態において、上下方向７における注入口１１２の下方で且つ前後方向８における前壁１０１とカバー７０の間に配置される。
【００５０】
カバー７０を露出位置に位置させた時のインク収容部７５は、回動軸７１の延びる方向に規定される回動軸線よりもインク室１１１側に配置されているので、回動軸７１よりも前方、すなわちユーザ側にインクが流れていくことを防止できる。また、カバー７０を露出位置に位置させた時のインク収容部７５は、回動軸７１よりもインク室１１１側にあるので、ユーザから見て視認しがたい。したがって、インク収容部７５がインクを収容した状態にあっても、汚染された状態のインク収容部７５をユーザに見せなくて済む。これにより、複合機１０の美観を損なうことが抑制される。
【００５１】
インク収容部７５は、カバー７０の内面に突設され且つ左右方向９に延設された一対のリブ７５Ａ、７５Ｂによって区画されている。また、インク収容部７５には、インク吸収部材７６（液体吸収部材）が充填されている。カバー７０を露出位置に位置させた状態において、インク吸収部材７６の上面は、露出されている。インク吸収部材７６は、例えば、発泡ポリウレタンなどの多孔材料で形成されている。インク吸収部材７６は、左右方向９において、各インク流路１５０に対応する位置にまたがって連続的に配置されていてもよいし、各インク流路の下方にそれぞれ独立して配置されてもよい。
【００５２】
［インク流路１５０］
前壁１０１の外面には、図４、図６、及び図８等に示されるように、インク流路１５０（液体流路の一例）が設けられている。インク流路１５０は、注入口１１２からこぼれたインクをインク収容部７５に導くための流路である。より詳細には、インク流路１５０は、内面がインク室１１１に面する位置に対応する基壁１０１Ａの外面（以下、「視認面」と表記する。）と異なる位置を通って、注入口１１２と基壁１０１Ａとの間の位置からインク収容部７５に至る流路である。本実施形態に係るインク流路１５０は、傾斜壁１０１Ｂの外面を左右方向９に沿って延びる第１流路１５１と、基壁１０１Ａの外面を上下方向７に沿って延びる第２流路１５６、１５７、１５８とで構成される。なお、本明細書において「〜方向に沿って延びる」とは、当該方向と完全に一致していることに限定されず、ある程度のズレは許容される。
【００５３】
第１流路１５１は、各注入口１１２Ｂ、１１２Ｍ、１１２Ｃ、１１２Ｙと基壁１０１Ａとの間において、傾斜壁１０１Ｂの外面を左右方向９に沿って延びる凹溝である。また、第１流路１５１の下端は、傾斜壁１０１Ｂの外面に突設され且つ左右方向９に沿って延びるリブ１５２によって画定されている。また、リブ１５２には、左右方向９における隔壁１０７、１０８、１０９に対応する位置に切欠き１５３、１５４、１５５が設けられている。第１流路１５１内のインクは、切欠き１５３、１５４、１５５を通じて第２流路１５６、１５７、１５８に流出する。第１流路１５１の上面は、各注入口１１２からこぼれたインクが流入可能なように開放されている。
【００５４】
第２流路１５６、１５７、１５８は、左右方向９における隔壁１０７、１０８、１０９に対応する位置において、基壁１０１Ａの外面を上下方向７に延びる凹溝である。すなわち、基壁１０１Ａの内面に接する隔壁１０７、１０８、１０９と、基壁１０１Ａの外面に接する第２流路１５６、１５７、１５８とは、基壁１０１Ａを挟んで互いに対面する。すなわち、第２流路１５６、１５７、１５８は、インクタンク１００の外部からインク室１１１内のインクを視認させる視認面を外れた位置に設けられている。なお、隔壁１０７〜１０９の位置に対応する基壁１０１Ａの外面に接する位置に第２流路１５６、１５７、１５８を形成することで、インクの視認に寄与しない部分を活用して省スパース化を図ることができる。
【００５５】
第２流路１５６、１５７、１５８の上端は、切欠き１５３、１５４、１５５の位置において第１流路１５１に接続されている。切欠き１５３、１５４、１５５は 、インク室１１１の視認面から左右方向９にずれた位置に形成されている。また、第２流路１５６、１５７、１５８の下端は、露出位置のカバー７０のインク収容部７５に接続される。なお、図１１に示されるように、インクタンク１００とインク収容部７５とは、上下方向７において互いに離間している。しかしながら、第２流路１５６、１５７、１５８とインク収容部７５とが接続されているとは、両者が直接接していることに限定されず、第２流路１５６、１５７、１５８の下端から排出されたインクがインク収容部７５に収容される位置関係であればよい。すなわち、本実施形態において、第２流路１５６、１５７、１５８の下端に到達したインクは、インクタンク１００の下方に離間して配置されたインク収容部７５に落下し、インク収容部７５内のインク吸収部材７６に吸収される。
【００５６】
［本実施形態の作用効果］
上記構成の複合機１０において、注入口１１２からこぼれたインクは、まず第１流路１５１に流入する。そして、第１流路１５１に流入したインクは、左右方向９においてインク室１１１からずれた位置に形成された切欠き１５３、１５４、１５５を通じて第２流路１５６、１５７、１５８に流出し、インク室１１１の視認面から左右方向９にずれた位置を通って下方に流れていく。
【００５７】
一方、第１流路１５１内のインクはリブ１５２によって堰き止められるので、切欠き１５３、１５４、１５５以外の位置において第１流路１５１からのインクの流出による基壁１０１Ａの視認面が汚染されることが抑制される。すなわち、第１流路１５１と第２流路１５６、１５７、１５８とは、注入口１１２からこぼれたインクを基壁１０１Ａの視認面を迂回するように導き、最終的に視認面の下方に設けられたインク吸収部材７６に吸収させることにより、インクタンク１００の内部の視認性の低下を抑制することができる。
【００５８】
なお、第１流路１５１の内部には、図６の部分拡大図で示されるように、複数のリブ１５９Ａ、１５９Ｂ、１５９Ｃが設けられていてもよい。各リブ１５９Ａ〜１５９Ｃは、各々が第１流路１５１に沿って左右方向９に延設され、且つ傾斜壁１０１Ｂの外面（換言すれば、第１流路１５１の底面）に沿って上下方向７に隣接して配置されている。上下方向７において互いに隣接するリブ１５９Ａ〜１５９Ｃの間には、左右方向９に延びる管状の流路が形成される。そして、リブ１５９Ａ〜１５９Ｃの間の管状の流路に流入したインクは、インク自身の表面張力によって保持され、且つ毛細管現象によって左右方向９に導かれる。これにより、注入口１１２からこぼれて第１流路１５１に流入したインクが、切欠き１５３、１５４、１５５以外の位置において第１流路１５１から流出することが抑制される。
【００５９】
また、第２流路１５６、１５７、１５８に流入したインクは、当該第２流路１５６、１５７、１５８の下端から排出されてインク収容部７５に至る。第２流路１５６、１５７、１５８は上下方向７に延設されているので、インクをスムーズにインク収容部７５に排出することができる。また、第２流路１５６、１５７、１５８は視認面から外れた位置に設けられているので、当該インクによる視認面の汚染が抑制される。
【００６０】
また、第２流路１５６、１５７、１５８から排出されたインクは、インク収容部７５のインク吸収部材７６に吸収される。その結果、当該インクが複合機１０の外部に漏れ出すことを抑制できる。さらに、対面領域から外れた位置にインク収容部７５を設けたので、カバー７０を被覆位置に位置させた状態において、複合機１０の外部からインク収容部７５が見えにくくなる。
【００６１】
なお、本実施形態において、被覆位置に配置されたカバー７０のインク収容部７５は、第２流路１５６、１５７、１５８と接続されない。しかしながら、液体流路１５０を通ってインク収容部７５にインクが排出されるのは、主に、カバー７０を露出位置に回動させて注入口１１２からインクを注入するときである。そこで、インク収容部７５と第２流路１５６、１５７、１５８とは、少なくともカバー７０が露出位置に配置されたときに接続されていればよい。
【００６２】
なお、インク収容部７５の位置は、液体流路１５０から排出されるインクを収容可能な位置であれば、カバー７０の内面に限定されない。インク収容部７５は、例えば、複合機１０のケーシングの支持面２８に設けられていてもよいし、図１２に示されるようにインクタンク１００の右壁１０２の外面に設けられてもよい。
【００６３】
［変形例１］
図１２を参照して、変形例１に係るインクタンク１００Ａを説明する。なお、上記の実施形態と共通する構成には同一の参照番号を付して詳しい説明を省略し、相違点を中心に説明する。変形例１に係るインクタンク１００Ａは、インク流路１６０の及びインク収容部１６１の位置及び形状が上記の実施形態と相違する。
【００６４】
変形例１に係るインク流路１６０は、各注入口１１２Ｂ、１１２Ｍ、１１２Ｃ、１１２Ｙと基壁１０１Ａとの間において、傾斜壁１０１Ｂの外面を左右方向９に沿って延びる凹溝である。また、変形例１に係るインク収容部１６１は、右壁１０２の外面に設けられている。より詳細には、突壁１２１Ａと、右壁１０２の外縁から右方に突出した突壁１６２とによってインク収容部１６１が画定される。なお、突壁１６２は、前壁１０１及び上壁１０４が右壁１０２の外面より右方に延長された部分と表現することもできる。
【００６５】
また、インク流路１６０は、突壁１６２の外面にまで延設されている。そして、突壁１６２には、インク流路１６０とインク収容部１６１とを連通させる貫通孔１６３が形成されている。また、リブ１５２からは切欠き１５３、１５４、１５５が省略されている。また、インク収容部１６１の内部には、不図示のインク吸収部材が充填されてもよい。さらに、図５のフィルム１２２を拡大して突壁１２１Ａ、１６２の先端に溶着することによって、インク収容部１６１を封止してもよい。
【００６６】
上記構成によっても、注入口１１２からこぼれたインクを、インク流路１６０を通じて複合機１０の外部から見えにくいインク収容部１６１へ排出することができる。また、基壁１０１Ａの外面をインクが通過しないので、インクタンク１００Ａの内部の視認性の低下をさらに抑制することができる。なお、インク流路１６０内のインクをインク収容部１６１へスムーズに排出するために、インク流路１６０をインク収容部１６１へ向けて（すなわち、右向きに）下り傾斜させてもよい。
【００６７】
［変形例２］
図１３を参照して、変形例２に係るインクタンク１００Ｂを説明する。なお、上記の実施形態及び変形例１と共通する構成には同一の参照番号を付して詳しい説明を省略し、相違点を中心に説明する。変形例２に係るインクタンク１００Ｂは、インク流路１７０の位置及び形状が上記の実施形態と相違する。変形例２に係るインク流路１７０は、傾斜壁１０１Ｂの外面を左右方向９に沿って延びる第１流路１７１と、右壁１０２の外面を上下方向７に沿って延びる第２流路１７２とで構成される。
【００６８】
第１流路１７１は、各注入口１１２Ｂ、１１２Ｍ、１１２Ｃ、１１２Ｙと基壁１０１Ａとの間において、傾斜壁１０１Ｂの外面を左右方向９に沿って延びる凹溝である。第２流路１７２は、右壁１０２の外面から右方に突出し且つ上下方向７に延設された一対の突壁１７３、１７４（一対のリブの一例）の間に形成された溝である。第２流路１７２は、その上端において第１流路１７１の右端と接続され、その下端において不図示のインク収容部と接続される。さらに、図５のフィルム１２２を拡大して突壁１７３、１７４の先端に溶着することによって、第２流路１７２を封止してもよい。
【００６９】
上記構成によっても、注入口１１２からこぼれたインクを、インク流路１７０を通じて、インク流路１７０の下方で且つ複合機１０の外部から見えにくい位置に配置されたインク収容部（不図示）へ排出することができる。また、基壁１０１Ａの外面をインクが通過しないので、インクタンク１００Ｂの内部の視認性の低下をさらに抑制することができる。なお、変形例２におけるインク収容部は、例えば、カバー７０の内面に配置してもよいし、支持面２８に配置してもよい。
【００７０】
さらに、上記の実施形態及び変形例１、２では、インクを液体の一例として説明したが、本発明はこれに限定されない。すなわち、インクに代えて、印刷時にインクに先立って記録用紙に吐出される前処理液、或いは記録ヘッド３９のノズル４０の乾燥を防止するために記録ヘッド３９のノズル４０近傍に噴霧される水等を液体としてもよい。なお、本発明は、有色の液体を貯留するタンクを備える液体消費装置に適用することによって、特に有利な効果を奏する。
【符号の説明】
【００７１】
１０・・・複合機
２４・・・記録部
７０・・・カバー
７１・・・  回動軸
７２・・・  透過窓
７５，１６１・・・インク収容部
７６・・・インク吸収部材
１００・・・インクタンク
１０１・・・前壁
１０１Ａ・・・基壁
１０１Ｂ・・・傾斜壁
１０２・・・右壁
１０７，１０８，１０９・・・隔壁
１１１・・・インク室
１１２・・・注入口
１５０，１７０・・・インク流路
１５１，１７１・・・第１流路
１５６，１５７，１５８，１７２・・・第２流路
１５９Ａ，１５９Ｂ，１５９Ｃ・・・リブ
【図１】
0006350070.tif 000002
【図２】
0006350070.tif 000003
【図３】
0006350070.tif 000004
【図４】
0006350070.tif 000005
【図５】
0006350070.tif 000006
【図６】
0006350070.tif 000007
【図７】
0006350070.tif 000008
【図８】
0006350070.tif 000009
【図９】
0006350070.tif 000010
【図１０】
0006350070.tif 000011
【図１１】
0006350070.tif 000012
【図１２】
0006350070.tif 000013
【図１３】
0006350070.tif 000014